(57)【要約】【課題】多額の費用をかけることなく自分の創作した著作物をホームページで公開すると共に、この公開した著作物により在庫負担等のリスクを背負うことなく著作物の価値に応じた料金を徴収することが可能となる極めて画期的な任意料金制電子出版システムを提供するものである。【解決手段】インターネットを通じてホームページを公開するサーバと、前記ホームページに小説，漫画，レポート，記事等の印刷可能な著作物を表示する著作物表示手段と、前記著作物を閲覧した閲覧者がその閲覧料として自由な金額を支払うように告知する表示を前記ホームページに表示する任意料金支払表示手段とを備えたコンピュータとから成るものである。【特許請求の範囲】
【請求項１】
インターネットを通じてホームページを公開するサーバと、前記ホームページに小説，漫画，レポート，記事等の印刷可能な著作物を表示する著作物表示手段と、前記著作物を閲覧した閲覧者がその閲覧料として自由な金額を支払うように告知する表示を前記ホームページに表示する任意料金支払表示手段とを備えたコンピュータとから成ることを特徴とする任意料金制電子出版システム。
【請求項２】
インターネットを通じてホームページを公開するサーバと、前記ホームページに小説，漫画，レポート，記事等の印刷可能な著作物を表示する著作物表示手段と、前記著作物を閲覧した閲覧者がその閲覧料として自由な金額を支払うように告知する表示を前記ホームページに表示する任意料金支払表示手段と、前記閲覧料を送金するための送金方法を告知する表示を前記ホームページに表示する送金方法表示手段とを備えたコンピュータとから成ることを特徴とする任意料金制電子出版システム。
【発明の詳細な説明】
【０００１】
【発明の属する技術分野】
本発明は、任意料金制電子出版システムに関するものである。
【０００２】
【従来の技術及び発明が解決しようとする課題】
作家等のある程度売れ行きの検討が付く本は出版社が印刷代等を負担して出版されるためこの作家等がリスクを背負うことはないが、売れ行きが不透明である一般の人の本が出版の際に前記出版社に印刷代等を負担してもらえることは稀である。
【０００３】
この場合、出版にあたっての費用を自らが負担する自費出版という形で出版を行うことになるが、そもそも印刷代は高額であって出版した本が売れなかった場合には極めて大きなリスクを背負うことになるため、出版量は少量にせざるを得ない。
【０００４】
また、大々的に宣伝を行うのも多額の費用がかかり容易でないため、自費出版により出版された本が公衆に広く認知されることは極めて少なく、しかも、前述のように出版量が少ないため利益を上げることは略不可能である。
【０００５】
本発明は、上述のような現状に鑑み、インターネットを通じてホームページを公開するサーバと、前記ホームページに小説，漫画，レポート，記事等の印刷可能な著作物を表示する著作物表示手段と、前記著作物を閲覧した閲覧者がその閲覧料として自由な金額を支払うように告知する表示を前記ホームページに表示する任意料金支払表示手段を備えたコンピュータとを用いて、前記著作物表示手段により多額の費用をかけることなく自分の創作した著作物をホームページで公開すると共に、前記任意料金支払表示手段により閲覧料として自由な金額を支払うように告知することで、この公開した著作物により在庫負担等のリスクを背負うことなく著作物の価値に応じた料金を徴収することが可能となる極めて画期的な任意料金制電子出版システムを提供するものである。
【０００６】
【課題を解決するため手段】
本発明の要旨を説明する。
【０００７】
インターネットを通じてホームページを公開するサーバと、前記ホームページに小説，漫画，レポート，記事等の印刷可能な著作物を表示する著作物表示手段と、前記著作物を閲覧した閲覧者がその閲覧料として自由な金額を支払うように告知する表示を前記ホームページに表示する任意料金支払表示手段とを備えたコンピュータとから成ることを特徴とする任意料金制電子出版システムに係るものである。
【０００８】
また、インターネットを通じてホームページを公開するサーバと、前記ホームページに小説，漫画，レポート，記事等の印刷可能な著作物を表示する著作物表示手段と、前記著作物を閲覧した閲覧者がその閲覧料として自由な金額を支払うように告知する表示を前記ホームページに表示する任意料金支払表示手段と、前記閲覧料を送金するための送金方法を告知する表示を前記ホームページに表示する送金方法表示手段とを備えたコンピュータとから成ることを特徴とする任意料金制電子出版システムに係るものである。
【０００９】
【発明の実施の形態】
好適と考える本発明の実施の形態（発明をどのように実施するか）を、その作用効果を示して簡単に説明する。
【００１０】
サーバで公開されるホームページに、自分が創作した小説，漫画，レポート，記事等の印刷可能な著作物を表示し、このホームページには前記著作物と共に、前記著作物を閲覧した閲覧者がその閲覧料として自由な金額を支払うように告知しておく。
【００１１】
このようなホームページを作成することで、本のように閲覧できる人数が制限されることがなく、出版費用もかからないことから、極めて容易に前記著作物を多くの人に公開することができ、しかも、このホームページで前記著作物を閲覧した閲覧者からは、この閲覧者が自由に決めた金額が料金として支払われることになる。
【００１２】
この際、支払われる金額は前記著作物の善し悪しにより大きく変動する。これは自由な金額を料金として前記閲覧者が支払うことになるため、この閲覧者が決める金額は前記著作物に対する評価額と言えるからである。
【００１３】
従って、得られる利益は前記著作物の内容如何により大きく変動することになるが、単に前記ホームページに表示しておくだけで料金が前記閲覧者から送金されることになるために、前記著作物の著作者にとっては何らリスクを背負うことがなく気軽に行うことができる。
【００１４】
即ち、本発明によれば多額の費用とリスクを背負う必要なしに、誰でも極めて簡易に自らの著作物を公開し、この著作物により（内容如何によっては大きな）利益を上げることが可能となる。
【００１５】
従って、上述のように高額な印刷費等を負担する必要がないから、前記閲覧者から支払われる金額を略そのまま利益とすることができ、この閲覧者一人当たり１００円程度支払われれば十分であり（例えば１万人が閲覧したとすれば１００万円程度の利益となる。）、このように閲覧者の負担にならない低額の料金であっても十分な利益を確保できることになる。
【００１６】
よって、本発明は、多額の費用をかけることなく自分の創作した著作物をホームページで公開すると共に、この公開した著作物により在庫負担等のリスクを背負うことなく著作物の価値に応じた料金を徴収することが可能となる極めて画期的な任意料金制電子出版システムとなる。
【００１７】
【実施例】
本発明の具体的な実施例について説明する。
【００１８】
本実施例は、インターネットを通じてホームページを公開するサーバと、前記ホームページに小説，漫画，レポート，記事等の印刷可能な著作物を表示する著作物表示手段と、前記著作物を閲覧した閲覧者がその閲覧料として自由な金額を支払うように告知する表示を前記ホームページに表示する任意料金支払表示手段とを備えたコンピュータとから成るものである。
【００１９】
具体的には、サーバで運営されるホームページを作成したコンピュータに備えられた前記著作物表示手段により前記著作物を表示すると共に、同様にこのコンピュータに備えられた前記任意料金支払表示手段により前記閲覧者に自由な金額を料金として支払うように告知する支払告知部を表示し、この著作物の閲覧者に前記著作物に対して妥当だと思われる自由な金額を料金として支払わせるものである。従って、閲覧者が決定する金額は自由であり、支払わないことを選択しても良い。
【００２０】
この支払告知部としては、例えば「内容を読んでみて適性だと思う金額を送金して下さい。」というような文面を表示しておく。
【００２１】
また、本実施例においては、前記閲覧料を送金するための送金方法を告知する表示を前記ホームページに表示する送金方法表示手段を前記コンピュータに備えている。
【００２２】
即ち、現金書留での送り方，銀行口座，郵便貯金口座，郵便振替口座，小切手送金，電信送金等の具体的な送金方法を表示しておくことで、前記支払告知部を閲覧した前記閲覧者が自由に決定した金額を適性な方法で送金することができるように構成している。
【００２３】
上述の支払告知部及び送金方法を表示する場所は、ホームページに表示する著作物の冒頭部分に表示しておく方が分かりやすいが、著作物の末尾部分に表示しておいても良い。
【００２４】
このようなホームページを作成することで、閲覧者がアクセスしてくるのを待つだけで自動的に料金を徴収できることになり、本を出版していた場合と比較して、注文を受けた後で発送等の手続きもする必要もなく、何ら手間をかける必要なしに前記著作物を多くの人に公開して料金を徴収できる。
【００２５】
従って、印刷代・管理代等の費用をかける必要なく、この徴収した金額を略そのまま利益とすることができ、リスクを背負うことなく利益を上げることが可能となる。
【００２６】
また、例えば、前記著作物の全てを公開せずに一部だけを公開することで、このホームページに表示した部分の評価を確認してから全体を本として出版する際の出版量等を検討できると共に、出版に先立つ費用も確保できることになる。
【００２７】
従って、本実施例は、多額の費用をかけることなく自分の創作した著作物をホームページで公開すると共に、この公開した著作物により在庫負担等のリスクを背負うことなく著作物の価値に応じた料金を徴収することが可能となる極めて画期的なものとなる。
【００２８】
尚、本実施例においては、上述のように前記支払告知部により閲覧者が自由な金額を閲覧料として支払うように構成しているが、例えば、この閲覧者が金額を決定するに際しての目安となるような表示、具体的には、「内容の評価に対する料金の基準としては、良い５００円，やや良い３００円，まあまあ１００円，やや悪い５０円，悪い１０円程度を目安にして下さい。」等の表示を前記支払告知部と共に前記ホームページに表示しても良く、この場合には、支払う金額を悩んだあげく支払わないことを選択する閲覧者を減少させて料金の徴収を一層確実に行えることになる。
【００２９】
【発明の効果】
本発明は上述のように構成したから、多額の費用をかけることなく自分の創作した著作物をホームページで公開すると共に、この公開した著作物により在庫負担等のリスクを背負うことなく著作物の価値に応じた料金を徴収することが可能となる極めて画期的な任意料金制電子出版システムとなる。
【００３０】
また、請求項２に記載の発明においては、本発明を一層容易に実現できる実用性に秀れた任意料金制電子出版システムとなる。